(57)【要約】【課題】バス電極表面窪みの問題を解決するための印刷スクリーン及びそれにより製造された太陽電池を提供する。【解決手段】本考案の一実施例の印刷スクリーン２００は、ガーゼ層２１０と、印刷パターン層２２０と、を含む。印刷パターン層２２０は、ガーゼ層２１０と半導体基板との間に設けられ、電極ブランクゾーン２２２と、これに隣接する遮蔽部２２４と、電極ブランクゾーン２２２の中に位置する少なくとも１つの支点２２６と、を有する。電極ブランクゾーン２２２が、第１の支持ラグを有する第１の側辺、及び第２の支持ラグを有する第２の側辺を有し、第１の側辺とこれに対向する第２の側辺との間の前記何れかの側辺に平行な任意の仮想直線上に、第１の支持ラグ、第２の支持ラグ、支点２２６又はそれらの組み合わせを有する。本考案の一実施例の太陽電池は、上記印刷スクリーン２００により製造される。【選択図】図６
0003195772.tif 000002
【実用新案登録請求の範囲】
【請求項１】
ガーゼ層と、
前記ガーゼ層と半導体基板との間に設けられ、電極ブランクゾーンと、前記電極ブランクゾーンに隣接する遮蔽部と、前記電極ブランクゾーンの中に位置する少なくとも１つの支点と、を有する印刷パターン層と、
を含み、
前記電極ブランクゾーンは、前記遮蔽部からなる少なくとも１つの第１の支持ラグを有する第１の側辺、及び前記遮蔽部からなる少なくとも１つの第２の支持ラグを有する前記第１の側辺に対向する第２の側辺を有し、前記第１の側辺と前記第２の側辺との間の前記何れかの側辺に平行な任意の仮想直線上に、前記第１の支持ラグ、前記第２の支持ラグ、前記支点又はそれらの組み合わせを有する太陽電池用の電極を製造するための印刷スクリーン。
【請求項２】
前記電極ブランクゾーンは、複数のバス電極ブランクゾーン、複数のフィンガー電極ブランクゾーン又はそれらの組み合わせを含む請求項１に記載の印刷スクリーン。
【請求項３】
前記バス電極ブランクゾーンは、互いに交互に配列されて接続された複数の第１のセクション及び複数の第２のセクションを有する請求項２に記載の印刷スクリーン。
【請求項４】
前記バス電極ブランクゾーンの前記第１のセクションは、０．５〜２．５ｍｍである第１のバス電極ブランクゾーン幅を有する請求項３に記載の印刷スクリーン。
【請求項５】
前記バス電極ブランクゾーンの前記第２のセクションは、０．０５〜２ｍｍの間にある第２のバス電極ブランクゾーン幅を有する請求項３に記載の印刷スクリーン。
【請求項６】
前記印刷パターン層の前記バス電極ブランクゾーンの少なくとも１つは、互いにつながっていない第１のブランクゾーン及び第２のブランクゾーンを有する請求項２に記載の印刷スクリーン。
【請求項７】
前記バス電極ブランクゾーンが第１の方向に沿って延伸し、前記フィンガー電極ブランクゾーンが第２の方向に沿って延伸し、前記フィンガー電極ブランクゾーンの一端が前記バス電極ブランクゾーンとつながる請求項２に記載の印刷スクリーン。
【請求項８】
前記フィンガー電極ブランクゾーンの幅は、０．０２〜０．２μｍである請求項２に記載の印刷スクリーン。
【請求項９】
前記第１の支持ラグ、前記第２の支持ラグ、前記支点のそれぞれは、幾何図形を有する請求項１に記載の印刷スクリーン。
【請求項１０】
前記幾何図形は、三角形、四角形、五角形、六角形、円形、長方形、又はそれらの組み合わせを含む請求項９に記載の印刷スクリーン。
【請求項１１】
前記支点の直径は、０．０５〜２．４ｍｍである請求項１に記載の印刷スクリーン。
【請求項１２】
隣接する２つの前記支点同士、前記支点と前記第１の支持ラグ、前記支点と前記第２の支持ラグ、又はそれらの組み合わせの間の距離は、０．０５〜２．４ｍｍである請求項１に記載の印刷スクリーン。
【請求項１３】
上表面及び前記上表面に対向する下表面を有する半導体基板と、
前記半導体基板の前記上表面に位置し、請求項１に記載の印刷スクリーンにより形成され、少なくとも１つの第１の凹部を有する前記第１の側辺、少なくとも１つの第２の凹部を有する前記第１の側辺に対向する前記第２の側辺、及び少なくとも１つの第１の凹穴を有し、前記第１の側辺と前記第２の側辺との間の前記何れかの側辺に平行な任意の仮想直線上に、前記第１の凹部、前記第２の凹部、前記第１の凹穴又はそれらの組み合わせを有する上電極構造と、
前記半導体基板の前記下表面に位置し、請求項１に記載の印刷スクリーンにより形成され、少なくとも１つの第３の凹部を有する第３の側辺、少なくとも１つの第４の凹部を有する前記第３の側辺に対向する第４の側辺、及び少なくとも１つの第２の凹穴を有し、前記第３の側辺と前記第４の側辺との間の前記何れかの側辺に平行な任意の仮想直線上に、前記第３の凹部、前記第４の凹部、前記第２の凹穴又はそれらの組み合わせを有する下電極構造と、
を含む太陽電池。
【請求項１４】
前記上電極構造は、複数本の上バス電極、複数本の上フィンガー電極又はそれらの組み合わせを含み、前記下電極構造は、複数本の下バス電極、複数本の下フィンガー電極又はそれらの組み合わせを含み、前記上フィンガー電極の一端が前記上バス電極につながり、前記下フィンガー電極の一端が前記下バス電極につながる請求項１３に記載の太陽電池。
【請求項１５】
前記上バス電極及び前記下バス電極が第１の方向に沿って延伸し、前記上フィンガー電極及び前記下フィンガー電極が第２の方向に沿って延伸し、前記上フィンガー電極の一端が前記上バス電極につながり、前記下フィンガー電極の一端が前記下バス電極につながり、前記第２の方向が前記第１の方向と異なる請求項１４に記載の太陽電池。
【請求項１６】
前記上バス電極、前記下バス電極又はそれらの組み合わせは、互いに交互に配列されて接続された複数の第１のセクション及び複数の第２のセクションを有する請求項１４に記載の太陽電池。
【請求項１７】
前記第１のセクションは、０．５〜２．５ｍｍである第１のバス電極幅を有する請求項１６に記載の太陽電池。
【請求項１８】
前記第２のセクションは、０．０５〜２ｍｍの間にある第２のバス電極幅を有する請求項１６に記載の太陽電池。
【請求項１９】
前記上バス電極、前記下バス電極又はそれらの組み合わせの少なくとも１つは、互いにつながっていない第１のバス段及び第２のバス段を有する請求項１４に記載の太陽電池。
【請求項２０】
前記第１の凹部、前記第２の凹部、前記第３の凹部、前記第４の凹部、前記第１の凹穴及び前記第２の凹穴のそれぞれは、幾何図形を有する請求項１３に記載の太陽電池。
【請求項２１】
前記幾何図形は、三角形、四角形、五角形、六角形、円形、長方形、又はそれらの組み合わせを含む請求項２０に記載の太陽電池。
【請求項２２】
前記第１の凹穴及び前記第２の凹穴の穴径のそれぞれは、独立して０．０５〜２．４ｍｍである請求項１３に記載の太陽電池。
【請求項２３】
隣接する２つの前記第１の凹穴同士、前記第１の凹穴と前記第１の凹部、前記第１の凹穴と前記第２の凹部、又はそれらの組み合わせの間の距離は、０．０５〜２．４ｍｍである請求項１３に記載の太陽電池。
【請求項２４】
隣接する２つの前記第２の凹穴同士、前記第２の凹穴と前記第３の凹部、前記第２の凹穴と前記第４の凹部、又はそれらの組み合わせの間の距離は、０．０５〜２．４ｍｍである請求項１３に記載の太陽電池。
【請求項２５】
前記上フィンガー電極、前記下フィンガー電極又はそれらの組み合わせの幅は、０．０２〜０．２μｍである請求項１４に記載の太陽電池。
【考案の詳細な説明】
【技術分野】
【０００１】
本考案は、印刷スクリーンに関し、特に、太陽電池用の電極を製造するための印刷スクリーンに関する。
【背景技術】
【０００２】
従来から、スクリーン印刷法は、太陽電池用の電極を製造する場合に最もよく用いられる技術である。一般的には、導電性ペーストを印刷スクリーンに置いてからブレードを印刷スクリーンのガーゼ層を貫通するように塗って、半導体基板の表面に落ち込ませて、太陽電池のバス電極を形成する。
【０００３】
しかしながら、ブレードを使用する場合、導電性ペーストを印刷スクリーンのガーゼ層に貫通させるには圧力を加える必要があるため、形成されたバス電極に窪み表面が発生し、後のモジュール端電極の半田付けの張力が低下し、断路が発生しやすい。また、上記バス電極が窪み表面を有することで、バス電極とモジュール端電極との接触面積が低下するため、バス電極とモジュール端電極との電気的接触が不良となり、太陽電池の歩留まりが低下する。
【０００４】
そのため、現在、従来の印刷スクリーン及びそれにより製造された太陽電池によるバス電極表面窪みの問題を解決するための新規な印刷スクリーン及びそれにより製造された太陽電池が望まれている。
【考案の概要】
【考案が解決しようとする課題】
【０００５】
先行技術の当面している問題に鑑みて、本考案は、バス電極表面窪みの問題を解決するための新規な印刷スクリーン及びそれにより製造された太陽電池を開示する。
【課題を解決するための手段】
【０００６】
本考案の一態様は、太陽電池用の電極を製造するための印刷スクリーンであって、ガーゼ層と、印刷パターン層と、を含む印刷スクリーンを提供することにある。
【０００７】
印刷パターン層は、ガーゼ層と半導体基板との間に設けられており、電極ブランクゾーンと、電極ブランクゾーンに隣接する遮蔽部と、電極ブランクゾーンの中に位置する少なくとも１つの支点と、を有する。
【０００８】
電極ブランクゾーンは、遮蔽部からなる少なくとも１つの第１の支持ラグを有する第１の側辺、及び遮蔽部からなる少なくとも１つの第２の支持ラグを有する第１の側辺に対向する第２の側辺を有し、第１の側辺と第２の側辺との間の前記何れかの側辺に平行な任意の仮想直線上に、第１の支持ラグ、第２の支持ラグ、支点又はそれらの組み合わせを有する。
【０００９】
本考案の実施例によると、上記電極ブランクゾーンは、複数のバス電極ブランクゾーン、複数のフィンガー電極ブランクゾーン又はそれらの組み合わせを含む。
【００１０】
本考案の実施例によると、上記各バス電極ブランクゾーンは、互いに交互に配列されて接続された複数の第１のセクション及び複数の第２のセクションを有する。
【００１１】
本考案の実施例によると、上記バス電極ブランクゾーンの各第１のセクションは、０．５〜２．５ｍｍである第１のバス電極ブランクゾーン幅を有する。
【００１２】
本考案の実施例によると、上記バス電極ブランクゾーンの各第２のセクションは、０．０５〜２ｍｍの間にある第２のバス電極ブランクゾーン幅を有する。
【００１３】
本考案の実施例によると、上記印刷パターン層の各バス電極ブランクゾーンの少なくとも１つは、互いにつながっていない第１のブランクゾーン及び第２のブランクゾーンを有する。
【００１４】
本考案の実施例によると、上記各バス電極ブランクゾーンが第１の方向に沿って延伸し、各フィンガー電極ブランクゾーンが第２の方向に沿って延伸し、各フィンガー電極ブランクゾーンの一端が各バス電極ブランクゾーンにつながる。
【００１５】
本考案の実施例によると、上記各フィンガー電極ブランクゾーンの幅は、０．０２〜０．２μｍである。
【００１６】
本考案の実施例によると、上記第１の支持ラグ、第２の支持ラグ、支点のそれぞれは、幾何図形を有する。
【００１７】
本考案の実施例によると、上記幾何図形は、三角形、四角形、五角形、六角形、円形、長方形、又はそれらの組み合わせを含む。
【００１８】
本考案の実施例によると、上記各支点の直径は、０．０５〜２．４ｍｍである。
【００１９】
本考案の実施例によると、上記隣接する２つの支点同士、支点と第１の支持ラグ、支点と第２の支持ラグ、又はそれらの組み合わせの間の距離は、０．０５〜２．４ｍｍである。
【００２０】
本考案の別の態様は、半導体基板と、上電極構造と、下電極構造と、を含む太陽電池を提供する。
【００２１】
半導体基板は、上表面及び上表面に対向する下表面を有する。上電極構造は、半導体基板の上表面に位置し、上記の印刷スクリーンにより形成され、少なくとも１つの第１の凹部を有する第１の側辺、少なくとも１つの第２の凹部を有する第１の側辺に対向する第２の側辺、及び少なくとも１つの第１の凹穴を有し、第１の側辺と第２の側辺との間の前記何れかの側辺に平行な任意の仮想直線上に、第１の凹部、第２の凹部、第１の凹穴又はそれらの組み合わせを有する。
【００２２】
下電極構造は、半導体基板の下表面に位置し、上記の印刷スクリーンにより形成され、少なくとも１つの第３の凹部を有する第３の側辺、少なくとも１つの第４の凹部を有する第３の側辺に対向する第４の側辺、及び少なくとも１つの第２の凹穴を有し、第３の側辺と第４の側辺との間の前記何れかの側辺に平行な任意の仮想直線上に、第３の凹部、第４の凹部、第２の凹穴又はそれらの組み合わせを有する。
【００２３】
本考案の実施例によると、上記上電極構造は、複数本の上バス電極、複数本の上フィンガー電極又はそれらの組み合わせを含み、下電極構造は、複数本の下バス電極、複数本の下フィンガー電極又はそれらの組み合わせを含み、上フィンガー電極の一端が上バス電極につながり、下フィンガー電極の一端が下バス電極につながる。
【００２４】
本考案の実施例によると、上記各上バス電極及び各下バス電極が第１の方向に沿って延伸し、各上フィンガー電極及び各下フィンガー電極が第２の方向に沿って延伸し、各上フィンガー電極及び各下フィンガー電極の一端がそれぞれ各上バス電極又は各下バス電極につながり、第２の方向が第１の方向と異なる。
【００２５】
本考案の実施例によると、上記各上バス電極、各下バス電極又はそれらの組み合わせは、互いに交互に配列されて接続された複数の第１のセクション及び複数の第２のセクションを有する。
【００２６】
本考案の実施例によると、上記各第１のセクションは、０．５〜２．５ｍｍである第１のバス電極幅を有する。
【００２７】
本考案の実施例によると、上記各第２のセクションは、０．０５〜２ｍｍの間にある第２のバス電極幅を有する。
【００２８】
本考案の実施例によると、上記各上バス電極、各下バス電極又はそれらの組み合わせの少なくとも１つは、互いにつながっていない第１のバス段及び第２のバス段を有する。
【００２９】
本考案の実施例によると、上記第１の凹部、第２の凹部、第３の凹部、第４の凹部、第１の凹穴及び第２の凹穴のそれぞれは、幾何図形を有する。
【００３０】
本考案の実施例によると、上記幾何図形は、三角形、四角形、五角形、六角形、円形、長方形、又はそれらの組み合わせを含む。
【００３１】
本考案の実施例によると、上記第１の凹穴及び第２の凹穴の穴径のそれぞれは、独立して０．０５〜２．４ｍｍである。
【００３２】
本考案の実施例によると、上記隣接する２つの第１の凹穴同士、第１の凹穴と第１の凹部、第１の凹穴と第２の凹部、又はそれらの組み合わせの間の距離は、０．０５〜２．４ｍｍである。
【００３３】
本考案の実施例によると、上記隣接する２つの第２の凹穴同士、第２の凹穴と第３の凹部、第２の凹穴と第４の凹部、又はそれらの組み合わせの間の距離は、０．０５〜２．４ｍｍである。
【００３４】
本考案の実施例によると、上記各上フィンガー電極、下フィンガー電極又はそれらの組み合わせの幅は、０．０２〜０．２μｍである。
【考案の効果】
【００３５】
本考案は、印刷スクリーンにより製造された太陽電池のバス電極が均一な厚さを有し、電極構造とモジュール端電極との半田付けの張力を向上させ、バス電極とモジュール端電極との接触面積を増やして、バス電極とモジュール端電極との電気的接触を高め、更に、太陽電池の歩留まりを高めることができる。
【図面の簡単な説明】
【００３６】
【図１】従来の印刷スクリーン１００を示す上面図である。
【図２】図１に示した印刷スクリーン１００を示す部分拡大図である。
【図３】図１に示した印刷スクリーン１００によって太陽電池のバス電極を形成する様子を示す段階模式図である。
【図４】図１に示した印刷スクリーン１００によって太陽電池のバス電極を形成する様子を示す段階模式図である。
【図５】図１に示した印刷スクリーン１００によって形成された太陽電池のバス電極を示す断面図である。
【図６】本考案の一実施例による印刷スクリーン２００を示す上面図である。
【図７】図６に示した印刷スクリーン２００を示す部分拡大図である。
【図８】図６に示した印刷スクリーン２００によって太陽電池のバス電極を形成する様子を示す段階模式図である。
【図９】図６に示した印刷スクリーン２００によって太陽電池のバス電極を形成する様子を示す段階模式図である。
【図１０】図２に示した印刷スクリーン２００によって形成された太陽電池のバス電極を示す断面図である。
【図１１】本考案の一実施例による太陽電池３００ａを示す上面図である。
【図１２】本考案の実施例による太陽電池３００ｂを示す下面図である。
【図１３】本考案の一実施例による印刷スクリーン４００を示す上面図である。
【図１４】本考案の一実施例による太陽電池５００ａを示す上面図である。
【図１５】本考案の一実施例による太陽電池５００ｂを示す下面図である。
【図１６】本考案の一実施例による印刷スクリーン６００を示す上面図である。
【図１７】本考案の一実施例による太陽電池７００を示す上面図である。
【図１８】本考案の一実施例による印刷スクリーン８００を示す上面図である。
【図１９】本考案の一実施例による太陽電池９００を示す上面図である。
【考案を実施するための形態】
【００３７】
次に、本考案を実施例で図面に合わせて詳しく説明し、図面又は記載において、類似又は同一の部分には、同一の符号又は番号を付ける。簡単化又は便利に標示するために、図面において、実施例の形状又は厚さを拡大することもあるが、図面における素子の部分は、文字で記載される。理解すべきなのは、示されない又は記載されない素子は、当業者に既知の様々な様式であってもよい。
【００３８】
本文に用いる用語は、特定な実施例を記載するためのものだけであり、本考案を制限するものではない。本文に用いられるように、本文で特に明確に指示されない限り、単数形の「一」及び「当該」は、複数形を含むことが意図される。更に理解すべきなのは、本明細書に用いられる場合、用語「含む」は、既述の特徴、整数、工程、動作、素子及び／又は成分の存在を指定するが、１つ又は複数の他の特徴、整数、工程、動作、素子、成分及び／又はその群の存在や添加を取り除かない。本文では、本考案の理想的な実施例（及び中間構造）である模式的な説明の横断面説明を参照して、本考案の実施例を記載する。このように、これらの説明された形状の（例えば）製造技術及び／又は許容誤差からの逸脱による改変が予想される。そのため、本考案の実施例が本文で説明された特定な領域形状に限定されると理解すべきではなく、（例えば）製造の形状による改変を含むべきであり、これらの図面で説明された領域は、本質上模式的なものであり、その形状が設備の領域の実際の形状を説明するものではなく、本考案の範囲を制限するものでもない。
【００３９】
図１は、従来の印刷スクリーン１００を示す上面図である。図１において、印刷スクリーン１００は、ガーゼ層１１０と、印刷パターン層１２０と、を有する。印刷パターン層１２０は、ガーゼ層１１０に設けられ、バス電極ブランクゾーン１２２及び遮蔽部１２４を有する。遮蔽部１２４がバス電極ブランクゾーン１２２に隣接する。
【００４０】
次に、図２を参考されたい。図２は、図１に示した領域Ａを示す部分拡大図である。図２において、印刷パターン層１２０は、ガーゼ層１１０に設けられ、バス電極ブランクゾーン１２２及び遮蔽部１２４を有する。遮蔽部１２４がバス電極ブランクゾーン１２２に隣接する。次に、断面線Ｂ‐Ｂ’に沿って、印刷スクリーン１００によって太陽電池のバス電極を形成する様子を説明し、図３、図４を参考されたい。
【００４１】
図３〜図４は、図１に示した印刷スクリーン１００によって太陽電池のバス電極を形成する様子を示す段階模式図である。図３において、印刷スクリーン１００が半導体基板１３０に置かれ、印刷パターン層１２０がガーゼ層１１０と半導体基板１３０との間に位置する。次に、図４に示すように、導電性ペースト１４０ａをガーゼ層１１０に置いてから、ブレード１５０でそれをガーゼ層１１０に貫通させて、導電性ペースト１４０ｂを印刷パターン層１２０のバス電極ブランクゾーン１２２の中に落ち込ませて、バス電極１６０ａを形成する。注意すべきなのは、遮蔽部１２４がガーゼ層１１０及びブレード１５０の下圧力を支持することに用いるが、印刷パターン層１２０のバス電極ブランクゾーン１２２に支持物がないため、ガーゼ層１１０の窪み現象が発生する。ガーゼ層１１０に窪みが発生する場合、図５に示すように、形成されたバス電極１６０ｂにも、著しい窪み深度（Ｈ）を持つ同様な輪郭の窪み表面が発生する。
【００４２】
上記従来のバス電極の有する窪み表面により、後のモジュール端電極の半田付けの張力が低下し、断路が発生しやすい。また、上記バス電極が窪み表面を有することで、バス電極とモジュール端電極との接触面積が低下するため、バス電極とモジュール端電極との電気的接触が不良となり、太陽電池の歩留まりが低下する。
【００４３】
上記従来の太陽電池の電極で発生した表面窪み現象を解決するために、本考案の実施例は、支点を有する印刷スクリーンを提供する。本考案の実施例の提供した印刷スクリーンにより製作された太陽電池は、バス電極が均一な厚さを有するので、電極構造とモジュール端電極との半田付けの張力が向上し、バス電極とモジュール端電極との接触面積が増えて、バス電極とモジュール端電極との電気的接触が高まり、更に、太陽電池の歩留まりが高まる。
【００４４】
図６は、本考案の一実施例による印刷スクリーン２００を示す上面図である。図６において、印刷スクリーン２００は、ガーゼ層２１０と、印刷パターン層２２０と、を含む。
【００４５】
印刷パターン層２２０は、ガーゼ層２１０に設けられており、電極ブランクゾーン２２２と、電極ブランクゾーン２２２に隣接する遮蔽部２２４と、電極ブランクゾーン２２２の中に位置する少なくとも１つの支点２２６と、を有する。
【００４６】
図６において、電極ブランクゾーン２２２は、複数のバス電極ブランクゾーン及び複数のフィンガー電極ブランクゾーンを有し、フィンガー電極ブランクゾーンの一端がバス電極ブランクゾーンにつながり、バス電極ブランクゾーンが第１の方向２０１に沿って延伸し、フィンガー電極ブランクゾーンが第２の方向２０２に沿って延伸する。本考案の実施例によると、上記各フィンガー電極ブランクゾーンの幅は、０．０２〜０．２μｍである。本考案の実施例によると、第１の方向２０１と第２の方向２０２との間の夾角は９０度であるが、それは本考案を限定するものではなく、第１の方向２０１と第２の方向２０２との間の夾角は、０度を超え９０度未満であってもよい。
【００４７】
図７は、図６に示した領域Ｃの部分拡大図である。図７において、電極ブランクゾーン２２２が第１の側辺２２１及び第１の側辺２２１に対向する第２の側辺２２３を有する。第１の側辺２２１が遮蔽部２２４からなる少なくとも１つの第１の支持ラグ２２５を有し、第２の側辺２２３が遮蔽部２２４からなる少なくとも１つの第２の支持ラグ２２７を有する。第１の側辺２２１と第２の側辺２２３との間の前記何れかの側辺２２１，２２３に平行な任意の仮想直線上に、第１の支持ラグ２２５、第２の支持ラグ２２７、支点２２６又はそれらの組み合わせがある。本考案の実施例によると、第１の側辺２２１と第２の側辺２２３との間で第１の方向２０１に沿って延伸する前記何れかの側辺２２１，２２３に平行な任意の仮想直線上に、第１の支持ラグ２２５、第２の支持ラグ２２７、支点２２６又はそれらの組み合わせを有する。
【００４８】
本考案の実施例によると、上記第１の支持ラグ２２５、第２の支持ラグ２２７、支点２２６は、幾何図形を有する。本考案の実施例によると、上記幾何図形は、三角形、四角形、五角形、六角形、円形、長方形、又はそれらの組み合わせを含む。
【００４９】
本考案の実施例によると、上記各支点２２６の直径（ｒ１）は、０．０５〜２．４ｍｍである。本考案の実施例によると、上記隣接する２つの支点２２６同士、支点２２６と第１の支持ラグ２２５、支点２２６と第２の支持ラグ２２７、又はそれらの組み合わせの間の距離（ｄ１）は、０．０５〜２．４ｍｍである。
【００５０】
次に、断面線Ｄ‐Ｄ’に沿って、印刷スクリーン２００によって太陽電池のバス電極を形成する様子を説明し、図８、図９を参考されたい。図８〜図９は、図６に示した印刷スクリーン２００によって太陽電池のバス電極を形成する様子を示す段階模式図である。
【００５１】
図８において、印刷スクリーン２００が半導体基板２３０に置かれ、印刷パターン層２２０がガーゼ層２１０と半導体基板２３０との間に位置する。次に、図９に示すように、導電性ペースト２４０ａをガーゼ層２１０に置いてから、ブレード２５０でそれをガーゼ層２１０に貫通させて、導電性ペースト２４０ｂを印刷パターン層２２０のバス電極ブランクゾーン２２２の中に落ち込ませて、バス電極２６０ａを形成する。
【００５２】
注意すべきなのは、遮蔽部２２４及び支点２２６がガーゼ層２１０及びブレード２５０の下圧力を支持することに用いるため、ガーゼ層２１０に窪み現象は発生しない。次に、図１０を参照されたい。図１０は、図６に示した印刷スクリーン２００によって形成された太陽電池のバス電極を示す断面図である。ガーゼ層２１０に窪みが発生しない場合、形成されたバス電極２６０ｂは、平坦な表面を有する。
【００５３】
図１１は、本考案の一実施例による太陽電池３００ａを示す上面図である。図１１において、太陽電池３００ａは、半導体基板３１０と、上電極構造３０３と、下電極構造（未図示）と、を備える。
【００５４】
半導体基板３１０が上表面３１２及び上表面３１２に対向する下表面（未図示）を有する。上電極構造３０３は、半導体基板３１０の上表面３１２に位置し、図６に示すような印刷スクリーン２００によって形成される。上電極構造３０３は、少なくとも１つの第１の凹部３２５を有する第１の側辺３２１、少なくとも１つの第２の凹部３２７を有する第１の側辺３２１に対向する第２の側辺３２３、及び少なくとも１つの第１の凹穴３２４を有する。第１の側辺３２１と第２の側辺３２３との間の前記何れかの側辺３２１，３２３に平行な任意の仮想直線上に、第１の凹部３２５、第２の凹部３２７、第１の凹穴３２４又はそれらの組み合わせを有する。
【００５５】
本考案の実施例によると、第１の凹部３２５、第２の凹部３２７及び第１の凹穴３２４のそれぞれは、幾何図形を有する。本考案の実施例によると、上記幾何図形は、三角形、四角形、五角形、六角形、円形、長方形、又はそれらの組み合わせを含む。
【００５６】
本考案の実施例によると、第１の凹穴３２４の穴径のそれぞれは、０．０５〜２．４ｍｍである。本考案の実施例によると、上記隣接する２つの第１の凹穴３２４同士、第１の凹穴３２４と第１の凹部３２５、第１の凹穴３２４と第２の凹部３２７、又はそれらの組み合わせの間の距離は、０．０５〜２．４ｍｍである。
【００５７】
本考案の実施例によると、上電極構造３０３は、複数本の上バス電極３２０、複数本の上フィンガー電極３４０又はそれらの組み合わせを含む。本考案の実施例によると、各上バス電極３２０が第１の方向３０１に沿って延伸し、各上フィンガー電極３４０が第２の方向３０２に沿って延伸し、各上フィンガー電極３４０の一端が各上バス電極３２０につながり、第２の方向３０２が第１の方向３０１と異なる。本考案の実施例によると、上記各上フィンガー電極３４０の幅は、０．０２〜０．２μｍである。
【００５８】
本考案の実施例によると、太陽電池３００ａの下電極構造（未図示）が上電極構造３０３と同一である。
【００５９】
図１２は、本考案の実施例による太陽電池３００ｂを示す下面図である。図１２において、太陽電池３００ｂは、半導体基板３１０と、上電極構造（未図示）と、下電極構造３３０と、を含む。本考案の実施例によると、太陽電池３００ｂの上電極構造（未図示）が太陽電池３００ａの上電極構造３０３と同一である。
【００６０】
半導体基板３１０が上表面（未図示）及び上表面（未図示）に対向する下表面３１４を有する。下電極構造３３０が半導体基板３１０の下表面３１４に位置する。下電極構造３３０は、少なくとも１つの第３の凹部３３５を有する第３の側辺３３１、少なくとも１つの第４の凹部３３７を有する第３の側辺３３１に対向する第４の側辺３４３、及び少なくとも１つの第２の凹穴３３４を有する。第３の側辺３３１と第４の側辺３４３との間の前記何れかの側辺３３１，３４３に平行な任意の仮想直線上に、第３の凹部３３５、第４の凹部３３７、第２の凹穴３３４又はそれらの組み合わせを有する。
【００６１】
本考案の実施例によると、第３の凹部３３５、第４の凹部３３７及び第２の凹穴３３４のそれぞれは、幾何図形を有する。本考案の実施例によると、上記幾何図形は、三角形、四角形、五角形、六角形、円形、長方形、又はそれらの組み合わせを含む。
【００６２】
本考案の実施例によると、第２の凹穴３３４の穴径のそれぞれは、０．０５〜２．４ｍｍである。本考案の実施例によると、上記隣接する２つの第２の凹穴３３４同士、第２の凹穴３３４と第３の凹部３３５、第２の凹穴３３４と第４の凹部３３７、又はそれらの組み合わせの間の距離は、０．０５〜２．４ｍｍである。
【００６３】
本考案の実施例によると、下電極構造３３０は、複数本の下バス電極を含む。本考案の実施例によると、各下バス電極が第１の方向３０１に沿って延伸する。
【００６４】
図１３は、本考案の一実施例による印刷スクリーン４００を示す上面図である。図１３において、印刷スクリーン４００は、ガーゼ層４１０と、印刷パターン層４２０と、を含む。
【００６５】
印刷パターン層４２０は、ガーゼ層４１０に設けられており、電極ブランクゾーン４２２と、電極ブランクゾーン４２２に隣接する遮蔽部４２４と、電極ブランクゾーン４２２の中に位置する少なくとも１つの支点４２６と、を有する。
【００６６】
図１３において、電極ブランクゾーン４２２は、複数のバス電極ブランクゾーン及び複数のフィンガー電極ブランクゾーンを有し、フィンガー電極ブランクゾーンの一端がバス電極ブランクゾーンにつながり、バス電極ブランクゾーンが第１の方向４０１に沿って延伸し、フィンガー電極ブランクゾーンが第２の方向４０２に沿って延伸する。本考案の実施例によると、上記各フィンガー電極ブランクゾーンの幅は、０．０２〜０．２μｍである。本考案の実施例によると、第１の方向４０１と第２の方向４０２との間の夾角は９０度であるが、それは本考案を限定するものではなく、第１の方向４０１と第２の方向４０２との間の夾角は、０度を超え９０度未満であってもよい。
【００６７】
図１３に示した印刷スクリーン４００は、各バス電極ブランクゾーン４２２が互いに交互に配列されて接続された複数の第１のセクション４３２及び複数の第２のセクション４３４を有する以外、図６に示した印刷スクリーン２００と類似している。本考案の実施例によると、バス電極ブランクゾーン４２２の各第１のセクション４３２は、第１のバス電極ブランクゾーン幅（Ｗ１）を有する。本考案の実施例によると、第１のバス電極ブランクゾーン幅（Ｗ１）は、０．５〜２．５ｍｍである。本考案の実施例によると、バス電極ブランクゾーン４２２の各第２のセクション４３４は、第２のバス電極ブランクゾーン幅（Ｗ２）を有する。本考案の実施例によると、上記第２のバス電極ブランクゾーン幅（Ｗ２）は、０．０５〜２ｍｍの間にある。
【００６８】
図１４は、本考案の一実施例による太陽電池５００ａを示す上面図である。図１４において、太陽電池５００ａは、半導体基板５１０と、上電極構造５０３と、下電極構造（未図示）と、を含む。
【００６９】
半導体基板５１０は、上表面５１２及び上表面５１２に対向する下表面（未図示）を有する。上電極構造５０３は、半導体基板５１０の上表面５１２に位置し、図１３に示すような印刷スクリーン４００により形成される。上電極構造５０３は、少なくとも１つの第１の凹部５２５を有する第１の側辺５２１、少なくとも１つの第２の凹部５２６を有する第１の側辺５２１に対向する第２の側辺５２３、及び少なくとも１つの第１の凹穴５２４を有する。第１の側辺５２１と第２の側辺５２３との間の前記何れかの側辺５２１，５２３に平行な任意の仮想直線上に、第１の凹部５２５、第２の凹部５２６、第１の凹穴５２４又はそれらの組み合わせを有する。
【００７０】
本考案の実施例によると、第１の凹部５２５、第２の凹部５２６及び第１の凹穴５２４のそれぞれは、幾何図形を有する。本考案の実施例によると、上記幾何図形は、三角形、四角形、五角形、六角形、円形、長方形、又はそれらの組み合わせを含む。
【００７１】
本考案の実施例によると、第１の凹穴５２４の穴径のそれぞれは、０．０５〜２．４ｍｍである。本考案の実施例によると、上記隣接する２つの第１の凹穴５２４同士、第１の凹穴５２４と第１の凹部５２５、第１の凹穴５２４と第２の凹部５２６、又はそれらの組み合わせの間の距離は、０．０５〜２．４ｍｍである。
【００７２】
本考案の実施例によると、上電極構造５０３は、複数本の上バス電極５２０、複数本の上フィンガー電極５４０又はそれらの組み合わせを含む。本考案の実施例によると、各上バス電極５２０が第１の方向５０１に沿って延伸し、各上フィンガー電極５４０が第２の方向５０２に沿って延伸し、各上フィンガー電極５４０の一端が各上バス電極５２０につながり、第２の方向５０２が第１の方向５０１と異なる。本考案の実施例によると、上記各上フィンガー電極５４０の幅は、０．０２〜０．２μｍである。
【００７３】
図１４に示した太陽電池５００ａは、各上バス電極５２０が互いに交互に配列されて接続された複数の第１のセクション５４２及び複数の第２のセクション５４４を有する以外、図１１に示した太陽電池３００ａと類似している。本考案の実施例によると、上バス電極５２０の各第１のセクション５４２は、第１のバス電極幅（Ｗ１）を有する。本考案の実施例によると、第１のバス電極幅（Ｗ１）は、０．５〜２．５ｍｍである。本考案の実施例によると、上バス電極５２０の各第２のセクション５４４は、第２のバス電極幅（Ｗ２）を有する。本考案の実施例によると、上記第２のバス電極幅（Ｗ２）は、０．０５〜２ｍｍの間にある。
【００７４】
本考案の実施例によると、太陽電池５００ａの下電極構造（未図示）は、上電極構造５０３と同一である。
【００７５】
図１５は、本考案の実施例による太陽電池５００ｂを示す下面図である。図１５において、太陽電池５００ｂは、半導体基板５１０と、上電極構造（未図示）と、下電極構造５３０と、を含む。本考案の実施例によると、太陽電池５００ｂの上電極構造（未図示）が太陽電池５００ａの上電極構造５０３と同一である。
【００７６】
半導体基板５１０は、上表面（未図示）及び上表面（未図示）に対向する下表面５１４を有する。下電極構造５３０が半導体基板５１０の下表面５１４に位置する。下電極構造５３０は、少なくとも１つの第３の凹部５３５を有する第３の側辺５３１、少なくとも１つの第４の凹部５３７を有する第３の側辺５３１に対向する第４の側辺５３３、及び少なくとも１つの第２の凹穴５３４を有する。第３の側辺５３１と第４の側辺５３３との間の前記何れかの側辺５３１，５３３に平行な任意の仮想直線上に、第３の凹部５３５、第４の凹部５３７、第２の凹穴５３４又はそれらの組み合わせを有する。
【００７７】
本考案の実施例によると、第３の凹部５３５、第４の凹部５３７及び第２の凹穴５３４のそれぞれは、幾何図形を有する。本考案の実施例によると、上記幾何図形は、三角形、四角形、五角形、六角形、円形、長方形、又はそれらの組み合わせを含む。
【００７８】
本考案の実施例によると、第２の凹穴５３４の穴径のそれぞれは、０．０５〜２．４ｍｍである。本考案の実施例によると、上記隣接する２つの第２の凹穴５３４同士、第２の凹穴５３４と第３の凹部５３５、第２の凹穴５３４と第４の凹部５３７、又はそれらの組み合わせの間の距離は、０．０５〜２．４ｍｍである。
【００７９】
本考案の実施例によると、下電極構造５３０は、複数本の下バス電極を含む。本考案の実施例によると、各下バス電極が第１の方向５０１に沿って延伸する。
【００８０】
図１５に示した太陽電池５００ｂは、各下バス電極が互いに交互に配列されて接続された複数の第１のセクション５４２及び複数の第２のセクション５４４を有する以外、図１２に示した太陽電池３００ｂと類似している。本考案の実施例によると、下バス電極の各第１のセクション５４２は、第１のバス電極幅（Ｗ１）を有する。本考案の実施例によると、第１のバス電極幅（Ｗ１）は、０．５〜２．５ｍｍである。本考案の実施例によると、下バス電極の各第２のセクション５４４は、第２のバス電極幅（Ｗ２）を有する。本考案の実施例によると、上記第２のバス電極幅（Ｗ２）は、０．０５〜２ｍｍの間にある。
【００８１】
図１６は、本考案の一実施例による印刷スクリーン６００を示す上面図である。図１６において、印刷スクリーン６００は、ガーゼ層６１０と、印刷パターン層６２０と、を含む。
【００８２】
印刷パターン層６２０は、ガーゼ層６１０に設けられており、電極ブランクゾーン６２２と、電極ブランクゾーン６２２に隣接する遮蔽部６２４と、電極ブランクゾーン６２２の中に位置する少なくとも１つの支点６２６と、を有する。
【００８３】
図１６において、電極ブランクゾーン６２２は、複数のバス電極ブランクゾーン及び複数のフィンガー電極ブランクゾーンを有し、フィンガー電極ブランクゾーンの一端がバス電極ブランクゾーンにつながり、バス電極ブランクゾーンが第１の方向６０１に沿って延伸し、フィンガー電極ブランクゾーンが第２の方向６０２に沿って延伸する。本考案の実施例によると、上記各フィンガー電極ブランクゾーンの幅は、０．０２〜０．２μｍである。本考案の実施例によると、第１の方向６０１と第２の方向６０２との間の夾角は９０度であるが、それは本考案を限定するものではなく、第１の方向６０１と第２の方向６０２との間の夾角は、０度を超え９０度未満であってもよい。
【００８４】
図１６に示した印刷スクリーン６００は、図１３に示した印刷スクリーン４００と類似している。図１６に示した印刷スクリーン６００は、各バス電極ブランクゾーン６２２が互いに交互に配列されて接続された複数の第１のセクション６３２及び複数の第２のセクション６３４を有する。本考案の実施例によると、バス電極ブランクゾーン６２２の各第１のセクション６３２は、第１のバス電極ブランクゾーン幅（Ｗ１）を有する。本考案の実施例によると、第１のバス電極ブランクゾーン幅（Ｗ１）は、０．５〜２．５ｍｍである。本考案の実施例によると、バス電極ブランクゾーン６２２の各第２のセクション６３４は、第２のバス電極ブランクゾーン幅（Ｗ２）を有する。本考案の実施例によると、上記第２のバス電極ブランクゾーン幅（Ｗ２）は、０．０５〜２ｍｍの間にある。
【００８５】
図１６に示した印刷スクリーン６００の印刷パターン層６２０の各バス電極ブランクゾーンの少なくとも１つは、互いにつながっていない第１のブランクゾーン６４２及び第２のブランクゾーン６４４を有することが、図１３に示した印刷スクリーン４００と異なっている。
【００８６】
図１７は、本考案の一実施例による太陽電池７００を示す上面図である。図１７において、太陽電池７００は、半導体基板７１０と、上電極構造７０３と、下電極構造（未図示）と、を含む。
【００８７】
半導体基板７１０は、上表面７１２及び上表面７１２に対向する下表面（未図示）を有する。上電極構造７０３は、半導体基板７１０の上表面７１２に位置し、図１６に示すような印刷スクリーン６００によって形成される。上電極構造７０３は、少なくとも１つの第１の凹部７２５を有する第１の側辺７２１、少なくとも１つの第２の凹部７２７を有する第１の側辺７２１に対向する第２の側辺７２３、及び少なくとも１つの第１の凹穴７２４を有する。第１の側辺７２１と第２の側辺７２３との間の前記何れかの側辺７２１，７２３に平行な任意の仮想何れの直線上に、第１の凹部７２５、第２の凹部７２７、第１の凹穴７２４又はそれらの組み合わせを有する。
【００８８】
本考案の実施例によると、第１の凹部７２５、第２の凹部７２７及び第１の凹穴７２４のそれぞれは、幾何図形を有する。本考案の実施例によると、上記幾何図形は、三角形、四角形、五角形、六角形、円形、長方形、又はそれらの組み合わせを含む。
【００８９】
本考案の実施例によると、第１の凹穴７２４の穴径のそれぞれは、０．０５〜２．４ｍｍである。本考案の実施例によると、上記隣接する２つの第１の凹穴７２４同士、第１の凹穴７２４と第１の凹部７２５、第１の凹穴７２４と第２の凹部７２７、又はそれらの組み合わせの間の距離は、０．０５〜２．４ｍｍである。
【００９０】
本考案の実施例によると、上電極構造７０３は、複数本の上バス電極７２０、複数本の上フィンガー電極７４０又はそれらの組み合わせを含む。本考案の実施例によると、各上バス電極７２０が第１の方向７０１に沿って延伸し、各上フィンガー電極７４０が第２の方向７０２に沿って延伸し、各上フィンガー電極７４０の一端が各上バス電極７２０につながり、第２の方向７０２が第１の方向７０１と異なる。本考案の実施例によると、上記各上フィンガー電極７４０の幅は、０．０２〜０．２μｍである。
【００９１】
図１７に示した太陽電池７００は、図１４に示した太陽電池５００ａと類似している。図１７に示した太陽電池７００は、各上バス電極７２０が互いに交互に配列されて接続された複数の第１のセクション７４２及び複数の第２のセクション７４４を有する。本考案の実施例によると、上バス電極７２０の各第１のセクション７４２は、第１のバス電極幅（Ｗ１）を有する。本考案の実施例によると、第１のバス電極幅（Ｗ１）は、０．５〜２．５ｍｍである。本考案の実施例によると、上バス電極７２０の各第２のセクション７４４は、第２のバス電極幅（Ｗ２）を有する。本考案の実施例によると、上記第２のバス電極幅（Ｗ２）は、０．０５〜２ｍｍの間にある。
【００９２】
図１７に示した太陽電池７００の各上バス電極７２０の少なくとも１つは、互いにつながっていない第１のバス段７５２及び第２のバス段７５４を有することが、図１４に示した太陽電池５００ａと異なっている。本考案の実施例によると、太陽電池７００の下電極構造（未図示）が上電極構造７０３と同一である。
【００９３】
図１８は、本考案の一実施例による印刷スクリーン８００を示す上面図である。図１８において、印刷スクリーン８００は、ガーゼ層８１０と、印刷パターン層８２０と、を含む。
【００９４】
印刷パターン層８２０は、ガーゼ層８１０に設けられており、電極ブランクゾーン８２２と、電極ブランクゾーン８２２に隣接する遮蔽部８２４と、電極ブランクゾーン８２２の中に位置する少なくとも１つの支点８２６と、を有する。
【００９５】
図１８において、電極ブランクゾーン８２２は、複数のバス電極ブランクゾーン及び複数のフィンガー電極ブランクゾーンを有し、フィンガー電極ブランクゾーンの一端がバス電極ブランクゾーンにつながり、バス電極ブランクゾーンが第１の方向８０１に沿って延伸し、フィンガー電極ブランクゾーンが第２の方向８０２に沿って延伸する。本考案の実施例によると、上記各フィンガー電極ブランクゾーンの幅は、０．０２〜０．２μｍである。本考案の実施例によると、第１の方向８０１と第２の方向８０２との間の夾角は、９０度であるが、それは本考案を限定するものではなく、第１の方向８０１と第２の方向８０２との間の夾角は、０度を超え９０度未満であってもよい。
【００９６】
図１８に示した印刷スクリーン８００は、図１６に示した印刷スクリーン６００と類似している。図１８に示した印刷スクリーン８００は、各バス電極ブランクゾーンが複数の第１のセクション８３２及び複数の第２のセクション８３４を有する。図１８に示した印刷スクリーン８００は、２つの第１のセクション８３２及び１つの第２のセクション８３４が順次に接続されてなるパターンユニットを有することが、図１６に示した印刷スクリーン６００と異なっている。本考案の実施例によると、バス電極ブランクゾーンの各第１のセクション８３２は、第１のバス電極ブランクゾーン幅（Ｗ１）を有する。本考案の実施例によると、第１のバス電極ブランクゾーン幅（Ｗ１）は、０．５〜２．５ｍｍである。本考案の実施例によると、バス電極ブランクゾーン８２２の各第２のセクション８３４は、第２のバス電極ブランクゾーン幅（Ｗ２）を有する。本考案の実施例によると、上記第２のバス電極ブランクゾーン幅（Ｗ２）は、０．０５〜２ｍｍの間にある。
【００９７】
また、図１８に示した印刷スクリーン８００の印刷パターン層８２０の各バス電極ブランクゾーン８２２の少なくとも１つは、互いにつながっていない第１のブランクゾーン８４２及び第２のブランクゾーン８４４を有する。
【００９８】
図１９は、本考案の一実施例による太陽電池９００を示す上面図である。図１９において、太陽電池９００は、半導体基板９１０と、上電極構造９０３と、下電極構造（未図示）と、を含む。
【００９９】
半導体基板９１０は、上表面９１２及び上表面９１２に対向する下表面（未図示）を有する。上電極構造９０３は、半導体基板９１０の上表面９１２に位置し、図１８に示すような印刷スクリーン８００により形成される。上電極構造９０３は、少なくとも１つの第１の凹部９２５を有する第１の側辺９２１、少なくとも１つの第２の凹部９２７を有する第１の側辺９２１に対向する第２の側辺９２３、及び少なくとも１つの第１の凹穴９２４を有する。第１の側辺９２１と第２の側辺９２３との間の前記何れかの側辺９２１，９２３に平行な任意の仮想直線上に、第１の凹部９２５、第２の凹部９２７、第１の凹穴９２４又はそれらの組み合わせを有する。
【０１００】
本考案の実施例によると、第１の凹部９２５、第２の凹部９２７及び第１の凹穴９２４のそれぞれは、幾何図形を有する。本考案の実施例によると、上記幾何図形は、三角形、四角形、五角形、六角形、円形、長方形、又はそれらの組み合わせを含む。
【０１０１】
本考案の実施例によると、第１の凹穴９２４の穴径のそれぞれは、０．０５〜２．４ｍｍである。本考案の実施例によると、上記隣接する２つの第１の凹穴９２４同士、第１の凹穴９２４と第１の凹部９２５、第１の凹穴９２４と第２の凹部９２７、又はそれらの組み合わせの間の距離は、０．０５〜２．４ｍｍである。
【０１０２】
本考案の実施例によると、上電極構造９０３は、複数本の上バス電極９２０、複数本の上フィンガー電極９４０又はそれらの組み合わせを含む。本考案の実施例によると、各上バス電極９２０が第１の方向９０１に沿って延伸し、各上フィンガー電極９４０が第２の方向９０２に沿って延伸し、各上フィンガー電極９４０の一端が各上バス電極９２０につながり、第２の方向９０２が第１の方向９０１と異なる。本考案の実施例によると、上記各上フィンガー電極９４０の幅は、０．０２〜０．２μｍである。
【０１０３】
図１９に示した太陽電池９００は、図１７に示した太陽電池７００と類似している。図１９に示した太陽電池９００は、各上バス電極９２０が複数の第１のセクション９４２及び複数の第２のセクション９４４を有する。図１９に示した太陽電池９００は、２つの第１のセクション９４２及び１つの第２のセクション９４４が順次に接続されてなるパターンユニットを有することが、図１７に示した太陽電池７００と異なっている。本考案の実施例によると、上バス電極９２０の各第１のセクション９４２は、第１のバス電極幅（Ｗ１）を有する。本考案の実施例によると、第１のバス電極幅（Ｗ１）は、０．５〜２．５ｍｍである。本考案の実施例によると、上バス電極９２０の各第２のセクション９４４は、第２のバス電極幅（Ｗ２）を有する。本考案の実施例によると、上記第２のバス電極幅（Ｗ２）は、０．０５〜２ｍｍの間にある。
【０１０４】
また、図１９に示した太陽電池９００の各上バス電極９２０の少なくとも１つは、互いにつながっていない第１のバス段９５２及び第２のバス段９５４を有する。本考案の実施例によると、太陽電池９００の下電極構造（未図示）が上電極構造９０３と同一である。
【０１０５】
本考案で開示した支点を有する印刷スクリーンであれば、この印刷スクリーンにより製造された太陽電池のバス電極が均一な厚さを有し、電極構造とモジュール端電極との半田付けの張力を向上させ、バス電極とモジュール端電極との接触面積を増やして、バス電極とモジュール端電極との電気的接触を高め、更に、太陽電池の歩留まりを高めることができる。
【０１０６】
本考案を実施形態で前述の通り開示したが、これは本考案を限定するためのものではなく、当業者であれば、本考案の精神と範囲から逸脱しない限り、各種の変更や修正を加えることができる。従って、本考案の保護範囲は、実用新案登録請求の範囲で指定した内容を基準とするものである。
【符号の説明】
【０１０７】
１００、２００、４００、６００、８００  印刷スクリーン
１１０、２１０、４１０、６１０、８１０  ガーゼ層
１２０、２２０、４２０、６２０、８２０  印刷パターン層
１２２  バス電極ブランクゾーン
１２４、２２４、４２４、６２４、８２４  遮蔽部
１３０、２３０、３１０、５１０、７１０、９１０  半導体基板
１４０ａ、１４０ｂ、２４０ａ、２４０ｂ  導電性ペースト
１５０、２５０  ブレード
１６０ａ、１６０ｂ、２６０ａ、２６０ｂ  バス電極
２０１、３０１、４０１、５０１、６０１、７０１、８０１、９０１  第１の方向
２０２、３０２、４０２、５０２、６０２、７０２、８０２、９０２  第２の方向
２２１、３２１、５２１、７２１、９２１  第１の側辺
２２２、４２２、６２２、８２２  電極ブランクゾーン
２２３、３２３、５２３、７２３、９２３  第２の側辺
２２５  第１の支持ラグ
２２６、４２６、６２６、８２６  支点
２２７  第２の支持ラグ
３００ａ、３００ｂ、５００ａ、５００ｂ、７００、９００  太陽電池
３０３、５０３、７０３、９０３  上電極構造
３１２、５１２、７１２、９１２  上表面
３１４、５１４  下表面
３２０、５２０、７２０、９２０  上バス電極
３２４、５２４、７２４、９２４  第１の凹穴
３２５、５２５、７２５、９２５  第１の凹部
３２７、５２６、７２７、９２７  第２の凹部
３３０、５３０  下電極構造
３３１、５３１  第３の側辺
３４３、５３３  第４の側辺
３３４、５３４  第２の凹穴
３３５、５３５  第３の凹部
３３７、５３７  第４の凹部
３４０、５４０、７４０、９４０  上フィンガー電極
４３２、５４２、６３２、７４２、８３２、９４２  第１のセクション
４３４、５４４、６３４、７４４、８３４、９４４  第２のセクション
６４２、８４２  第１のブランクゾーン
６４４、８４４  第２のブランクゾーン
７５２、９５２  第１のバス段
７５４、９５４  第２のバス段
Ａ、Ｃ  領域
Ｂ‐Ｂ’、Ｄ‐Ｄ’  断面線
Ｈ  窪み深度
ｒ１  直径
ｄ１  距離
Ｗ１、Ｗ２  幅
【図１】
0003195772.tif 000003
【図２】
0003195772.tif 000004
【図３】
0003195772.tif 000005
【図４】
0003195772.tif 000006
【図５】
0003195772.tif 000007
【図６】
0003195772.tif 000008
【図７】
0003195772.tif 000009
【図８】
0003195772.tif 000010
【図９】
0003195772.tif 000011
【図１０】
0003195772.tif 000012
【図１１】
0003195772.tif 000013
【図１２】
0003195772.tif 000014
【図１３】
0003195772.tif 000015
【図１４】
0003195772.tif 000016
【図１５】
0003195772.tif 000017
【図１６】
0003195772.tif 000018
【図１７】
0003195772.tif 000019
【図１８】
0003195772.tif 000020
【図１９】
0003195772.tif 000021